(57)【要約】【課題】安価でかつ簡単な構造で、蓋体の回転軸を変更し、開口部を大きくし取り出しおよび装着の操作性を向上させるとともに、従来と同じシール性能を有し、かつシール性能の信頼性を保つことができる食器洗い機を実現する。【解決手段】食器２を出し入れする開口部１６の少なくとも一端側に回転軸４を有し開口部１６を開閉自在に閉塞する第１の蓋体５と、第１の蓋体５の下辺部分に開口部１６の縁部との間をシールするために設けたパッキング１５とを備え、パッキング１５は、第１の蓋体５が開口部１６を閉塞する際に、洗浄槽１に形成したシール面１４に対して略平行方向にかつ回転軸４に対して略ラジアル方向に変形することによってシールするリップ部１５ａを備え、第１の蓋体５が開いた状態の時に洗浄槽１のシール面１４をカバーする保護部材１３を備えたものである。【選択図】図１
2011045452.tif 000002
【特許請求の範囲】
【請求項１】
被洗浄物を収容する開口部を有する洗浄槽と、前記被洗浄物を洗浄水の噴射により洗浄する洗浄手段と、前記開口部の少なくとも一端側に回転軸を有し前記開口部を開閉自在に閉塞する蓋体と、前記蓋体の下辺部分に前記開口部の縁部との間をシールするために設けたパッキングとを備え、前記パッキングは、前記蓋体が前記開口部を閉塞する際に、前記洗浄槽に形成した傾斜シール面に対して略平行方向にかつ前記回転軸に対して略ラジアル方向に変形することによってシールするシール手段を備え、前記蓋体が開いた状態の時に前記洗浄槽の前記シール面をカバーする保護部材を備えた食器洗い機。
【請求項２】
保護部材は、蓋体が閉じた状態のとき、パッキングのシール手段を洗浄槽の内方よりカバーする構成とした請求項１記載の食器洗い機。
【請求項３】
保護部材にリップ部を備え、蓋体が閉じた状態のとき、パッキングに直接洗浄手段から噴射された洗浄水が当たらないように構成した請求項１または２記載の食器洗い機。
【請求項４】
蓋体の下辺部分に、前記蓋体を閉じた状態で内側から保護部材を支持する保護部材支持部を垂下させて設けた請求項３記載の食器洗い機。
【発明の詳細な説明】
【技術分野】
【０００１】
本発明は、洗浄ノズルより食器に向けて洗浄水を噴射して食器を洗浄する食器洗い機に関する。
【背景技術】
【０００２】
従来のこの種の食器洗い機について、図５、図６を用いて説明する。図５、図６に示すように、洗浄槽１は前方に開口部１６を有するとともに、食器２を入れる食器かご３を前後方向に移動可能に配置している。洗浄槽１の開口部１６はその下方の一辺と平行な回転軸４を有する第１の蓋体５と、この第１の蓋体５と連動して動作する第２の蓋体６によって開閉される。洗浄槽１の底部には洗浄水を噴射する洗浄ノズル７を回転自在に設け、洗浄槽１の底部に設けた排水口８および洗浄槽１の下方に配置した洗浄ポンプ９と配管部１０を介して接続している。
【０００３】
洗浄槽１内の洗浄水はヒータ１２によって温水化され、洗浄ポンプ９にて排水口８から吸い込まれ、洗浄ノズル７に圧送される。洗浄ノズル７より勢いよく噴射される洗浄水によって、食器かご３に収容された食器２を洗浄するように構成している。
【０００４】
開口部１６の少なくとも一端側に回転軸４を有する第１の蓋体５により開口部１６を開閉自在に閉塞し、洗浄槽１の開口部１６の下端側に設けた凹部３０に挿入固着してパッキング３２を設け、パッキング３２は、第１の蓋体５が開口部１６を閉塞する際に、第１の蓋体５の下面３１に押されて開口部１６が形成する面に対して略平行方向にかつ回転軸４に対して略垂直方向に変形することによって、運転中に洗浄水が機外に漏れ出さないようシールする構成としたものである（例えば、特許文献１参照）。
【先行技術文献】
【特許文献】
【０００５】
【特許文献１】特開２００４−３２１４６５号公報
【発明の概要】
【発明が解決しようとする課題】
【０００６】
このような従来の食器洗い機においては、食器２を出し入れする場合、第１の蓋体５を略垂直方向から略水平方向へ開くとともに、これに連動して第２の蓋体６が上方へ開き、第１の蓋体５上に食器かご３を引き出して行う。
【０００７】
この構成の場合、洗浄槽１の開口部１６を広くし、排水口８の上方に配された残菜フィルタなどを取りやすくするために回転軸４を下方に位置移動し、蓋体開時に第１の蓋体５が操作部の前方まで開くようにすると、第１の蓋体５を閉めた場合、洗浄槽１の開口部１６の下辺部の後面に対してパッキング３２が圧接されてシールするが、蓋開時はパッキング３２のシール面３２ａがむき出しになり、食器２を出し入れするときに食器２からこぼれ落ちた汚れがシール面３２ａに付着し、再び第１の蓋体５を閉めた時にシール面３２ａと第１の蓋体５の下面３１との間に隙間を生じてシール性能が低下し、水漏れの原因となるという課題を有していた。また、シール構成を水平方向に設けているため洗浄水によりパッキンに付着した汚れが流れ落ちにくいという課題も有していた。
【０００８】
本発明は、前記従来の課題を解決するもので、安価でかつ簡単な構造で、蓋体の回転軸を変更し、開口部を大きくし残菜フィルタの取り出しおよび装着の操作性を向上させるとともに、パッキングのシール面を保護する保護部材を設けることにより、従来と同じシー
ル性能を有し、かつシール性能の信頼性を保つことができる食器洗い機を提供することを目的とする。
【課題を解決するための手段】
【０００９】
上記課題を解決するために、本発明の食器洗い機は、被洗浄物を収容する開口部を有する洗浄槽と、前記被洗浄物を洗浄水の噴射により洗浄する洗浄手段と、前記開口部の少なくとも一端側に回転軸を有し前記開口部を開閉自在に閉塞する蓋体と、前記蓋体の下辺部分に前記開口部の縁部との間をシールするために設けたパッキングとを備え、前記パッキングは、前記蓋体が前記開口部を閉塞する際に、前記洗浄槽に形成したシール面に対して略平行方向にかつ前記回転軸に対して略ラジアル方向に変形することによってシールするシール手段を備え、前記蓋体が開いた状態の時に前記洗浄槽の前記シール面をカバーする保護部材を備えたものである。
【００１０】
これにより、安価でかつ簡単な構造で、食器の出し入れ時に食器から汚れが落ちたとしてもシール面に付着することなくシールの信頼性を保持することができるとともに、開口部を大きくとることが可能なため、残菜フィルタなどの取り出しおよび装着性を向上させることができるものである。また、シール面に傾斜を設けることにより洗浄水の汚れを蓄積しにくくすることができる。
【発明の効果】
【００１１】
本発明の食器洗い機は、安価でかつ簡単な構造で、食器の出し入れ時に食器から汚れが落ちたとしてもシール面に付着することなくシールの信頼性を保持することができるとともに、開口部を大きくとることが可能なため、残菜フィルタなどの取り出しおよび装着性を向上させることができる。また、シール面に傾斜を設けることにより洗浄水の汚れを蓄積しにくくすることができる。
【図面の簡単な説明】
【００１２】
【図１】本発明の実施の形態１における食器洗い機の蓋体が閉状態の側断面図
【図２】同食器洗い機の蓋体が開状態の側断面図
【図３】同食器洗い機の要部拡大断面図
【図４】本発明の実施の形態２における食器洗い機の要部拡大断面図
【図５】従来の食器洗い機の蓋体が開状態の側断面図
【図６】従来の食器洗い機の蓋体が閉状態の側断面図
【発明を実施するための形態】
【００１３】
第１の発明は、被洗浄物を収容する開口部を有する洗浄槽と、前記被洗浄物を洗浄水の噴射により洗浄する洗浄手段と、前記開口部の少なくとも一端側に回転軸を有し前記開口部を開閉自在に閉塞する蓋体と、前記蓋体の下辺部分に前記開口部の縁部との間をシールするために設けたパッキングとを備え、前記パッキングは、前記蓋体が前記開口部を閉塞する際に、前記洗浄槽に形成したシール面に対して略平行方向にかつ前記回転軸に対して略ラジアル方向に変形することによってシールするシール手段を備え、前記蓋体が開いた状態の時に前記洗浄槽の前記シール面をカバーする保護部材を備えたものであり、安価でかつ簡単な構造で、食器の出し入れ時に食器から汚れが落ちたとしてもシール面に付着することなくシールの信頼性を保持することができるとともに、開口部を大きくとることが可能なため、残菜フィルタなどの取り出しおよび装着性を向上させることができる。また、シール面に傾斜を設けることにより洗浄水の汚れを蓄積しにくくすることができる。
【００１４】
第２の発明は、第１の発明において、保護部材は、蓋体が閉じた状態のとき、パッキングのシール手段を洗浄槽の内方よりカバーする構成としたものであり、運転中に洗浄水がパッキングのシール手段や洗浄槽のシール面に当たって汚れや水滴が付着することを抑制
し、シール性能の信頼性を向上させることができる。
【００１５】
第３の発明は、第１または第２の発明において、保護部材にリップ部を備え、蓋体が閉じた状態のとき、パッキングに直接洗浄手段から噴射された洗浄水が当たらないように構成したものであり、噴射水がシール面付近に噴射されても直接シール部に当たることがなく、パッキングの変形を受けにくくすることができ、シールの信頼性を向上させることができるとともに、リップ部は比較的軽い力で変形する構成とすることができ、蓋体によって開口部を開閉するときに必要な操作力を低減できるため、使い勝手をよくすることができる。
【００１６】
第４の発明は、第３の発明において、蓋体の下辺部分に、前記蓋体を閉じた状態で内側から保護部材を支持する保護部材支持部を垂下させて設けたものであり、蓋体を閉じたとき、第２のシール面からリップ部に及ぼされる変形力によって保護部材が内方に変位して第２のシール部のシール性が低下することを防止することができる。
【００１７】
以下、本発明の実施の形態について、図面を参照しながら説明する。なお、この実施の形態によって本発明が限定されるものではない。
【００１８】
（実施の形態１）
図１、図２に示すように、洗浄槽１は、前面に食器２を出し入れする開口部１６を有し、食器２を入れる食器かご３を前後方向に移動可能に配置している。洗浄槽１の開口部１６はその下方の一辺と平行な回転軸４を有する第１の蓋体５と、この第１の蓋体５と連動して動作する第２の蓋体６によって開閉される。洗浄槽１の底部には洗浄水を噴射する洗浄ノズル７を回転自在に設け、洗浄槽１の底部に設けた排水口８および洗浄槽１の下方に配置した洗浄ポンプ９と配管部１０を介して接続している。
【００１９】
洗浄槽１内の洗浄水はヒータ１２によって温水化され、洗浄ポンプ９にて排水口８から吸い込まれ、洗浄ノズル７に圧送される。洗浄ノズル７より勢いよく噴射される洗浄水によって、食器かご３に収容された食器２を洗浄し、洗い落とされた汚れのうちの残菜は排水口８の上方に取り外し可能に載置された残菜フィルタ１７に捕集するように構成している。
【００２０】
第１の蓋体（蓋体）５は開口部１６の一端側に回転軸４を有し、その周りに回動可能に構成し、この第１の蓋体５と連動して動作する第２の蓋体６とともに洗浄槽１の開口部１６を開閉するよう構成している。
【００２１】
図３は本発明の実施の形態１における食器洗い機の蓋体が閉状態の第１の蓋体５の下辺部分の要部拡大断面図である。図３に示すように、第１の蓋体５の下辺部分に凹形状の溝部５ａを設けている。溝部５ａには、第１の蓋体５の下辺部分と開口部１６の縁部との間をシールするパッキング１５が装着されている。
【００２２】
パッキング１５は、ゴム等の材料で形成され、蓋体が閉状態で略垂直となる面で構成され上下左右方向に変位可能なリップ部１５ａと、リップ部１５ａより内側にリップ部１５ａより下方に長く垂下した第２のリップ部１５ｂとの２つの薄肉のリップ部を、蓋体が閉状態で下方に垂下する形で有している。リップ部１５ａおよび第２のリップ部１５ｂは、洗浄槽１の開口部１６のほぼ全幅に対応する幅寸法に形成されている。また、第１の蓋体５の下辺部分には底面より下方に延びる略垂直部１８を設けており、その内面１８ａでパッキング１５を確実に固定する。
【００２３】
パッキング１５は、第１の蓋体５が開口部１６を閉塞する際に、リップ部１５ａに対向
するように洗浄槽１の前面底部内壁に形成したシール面１４にリップ部１５ａが押し付けられ、シール面１４に対して略水平方向に、かつ回転軸４に対して略ラジアル方向に変形することによって洗浄槽１の開口部１６と第１の蓋体５の下辺部分との間をシールする第１のシール部を構成している。なお、第１の蓋体５を閉じたとき、第１の蓋体５の下辺部分に設けたパッキング１５のリップ部１５ａと洗浄槽１に設けられたシール面１４が、面接触で圧接するよう構成されている。
【００２４】
第２のリップ部１５ｂは、第１の蓋体５が閉状態において、下端が食器洗い機の前方に突出する断面「く」の字状に形成されており、シール面１４より下方の洗浄槽１の前面底部内壁に対し近接もしくは当接するよう構成されている。
【００２５】
第１の蓋体５の下辺部分に設けた溝部５ａには、パッキング１５より洗浄槽１に対し内側に保護部材１３が固着されている。保護部材１３は、樹脂材料で形成され、第１の蓋体５を閉じた時に、下端部１３ｂはパッキング１５のリップ部１５ａおよび第２のリップ部１５ｂより下方まで延びているように構成してあり、シール面１４およびリップ部１５ａを内側から覆うことにより、運転中に洗浄水がこれらの部分に当たって汚れや水滴が付着することを抑制し、シール性能の信頼性を向上させている。この保護部材１３は、リップ部１５ａおよび第２のリップ部１５ｂと同様に、洗浄槽１の開口部１６のほぼ全幅に対応する幅寸法に形成されている。
【００２６】
そして、第１の蓋体５が開いた時に、操作部の前面部まで下りてくるように回転軸４を配設し、保護部材１３は、第１の蓋体５が開いた状態の時に、洗浄槽１のシール面１４を上方からカバーし、食器２を出し入れするときに食器２からこぼれ落ちた汚れ２１がシール面１４に付着し、シール性能が低下することを防止するものである。
【００２７】
上記のように構成した食器洗い機について、その動作、作用を説明する。使用者が食器洗いを行う際には、図１に示す第１の蓋体５（蓋体）が閉状態から図２に示す蓋体が開状態にし、洗浄したい食器２を食器かご３に収納し、洗剤を第１の蓋体５の内面の所定位置もしくは洗浄槽１内に直接投入した後、蓋体を閉めて図１の状態にし、食器洗い機の前面に設けた操作部によって運転モード等を設定した後、スタートボタンで食器洗いを開始する。
【００２８】
本発明の実施の形態１によれば、第１の蓋体５を閉じたとき、第１の蓋体５の下辺部分に設けたパッキング１５のリップ部１５ａと洗浄槽１に設けたられたシール面１４が、面接触で圧接し、リップ部１５ａを水平方向に押してシールする。
【００２９】
このシール性に影響するのは第１の蓋体５のパッキング１５を取り付ける面である略垂直部１８の内面１８ａの平面度であるが、リブ構成とすることや補強板１９などを取り付けることにより、第１の蓋体５の内面１８ａを平面に保つようにしており、成型によるそりや変形の影響を吸収するような構成にしているため、シール面１４を矯正する手段は必要とせずとも確実にシールすることができる。
【００３０】
また、パッキング１５のリップ部１５ａはゴム等の材料で薄肉に形成し比較的軽い力で変位可能な構成としてあるため、第１の蓋体５を閉じるときの操作力および開くときのロック解除操作力も低減できる。
【００３１】
また、本実施の形態によれば、第１の蓋体５を開き、食器２を出し入れするときに食器２から汚れ２１が落ちた場合でも洗浄槽１のシール面１４を上方から覆って保護する保護部材１３を第１の蓋体５に配設しているため、シール性能を確保することができる。
【００３２】
さらに、第１の蓋体５を閉じて運転中においても、保護部材１３がシール面１４およびリップ部１５ａを内側から覆うことにより、運転中に洗浄水がこれらの部分に当たって汚れや水滴が付着することを抑制し、シール性能の信頼性を向上させている。
【００３３】
また、リップ部１５ａ及び第２のリップ部１５ｂと接触する洗浄槽１のシール面１４は、図４に示すように、傾斜している、つまり傾斜シール面にしていることにより、洗浄水の汚れが蓄積しにくくしている。また、パッキング１５と保護部材１３を一体に第１の蓋体５に設けることにより、残菜フィルタ１７を取り出すときにパッキング１５に触れなくすることができ、パッキング１５の損傷を低減させることができる。
【００３４】
以上より、安価でかつ簡単な構造で、食器２の出し入れ時に食器２から汚れ２１が落ちたとしてもシール面１４に付着することなくシールの信頼性を保持することができるとともに、残菜フィルタ１７を取り出したり装着したりする取り出し開口部２０を大きくとることが可能なため、残菜フィルタ１７などの取り出しおよび装着性を向上させることができる。
【００３５】
（実施の形態２）
本実施の形態は、上記実施の形態１の構成に加えて、保護部材１３にリップ部１３ａを設け、前記パッキング１５に直接洗浄ノズル７の噴射水が当たらないように構成した食器洗い機である。他の構成は上記実施の形態１と同じである。
【００３６】
図４は本実施の形態における食器洗い機の蓋体が閉状態の第１の蓋体５の下辺部分の要部拡大断面図である。図４に示すように、保護部材１３は、下端部１３ｂの上方基部から洗浄槽１の外方に分岐させてリップ部１３ａを垂下させて一体に形成してある。このリップ部１３ａは、パッキング１５のリップ部１５ａおよび第２のリップ部１５ｂと同様に、洗浄槽１の開口部１６のほぼ全幅に対応する幅寸法に形成されている。
【００３７】
リップ部１３ａは、外方（蓋体の閉状態では前方）からの力によって下端部１３ｂ側に変形可能なようにばね性を有しており、第１の蓋体５を閉じたとき、洗浄槽１の前面底部内壁に形成したシール面１４より下方に形成した第２のシール面２２に押し付けられて変形し、運転時における第２のシール部を構成する。
【００３８】
また、パッキング１５の第２のリップ部１５ｂは、下部を保護部材１３のリップ部１３ａの外方に重ね合わせる構成としてあり、第１の蓋体５を閉じたとき、第１のシール部と第２のシール部との間にあって、シール性能を補助する働きをさせている。
【００３９】
また、第１の蓋体５の下辺部分に保護部材支持部２３を垂下させて設けてある。この保護部材支持部２３は、蓋体の閉状態で内側から保護部材１３を支持しており、第１の蓋体５を閉じたとき、第２のシール面２２からリップ部１３ａに及ぼされる変形力によって保護部材１３が内方に変位して第２のシール部のシール性が低下することを防止している。
【００４０】
上記構成による食器洗い機の動作、作用について説明する。ここでは実施の形態１の構成に追加した構成に関する動作、作用について説明するが、その他の動作、作用は実施の形態１と同じである。
【００４１】
本実施の形態では、保護部材１３は、第１の蓋体５を開いた時にシール面１４を保護するとともに、第１の蓋体５を閉じたときに、パッキング１５に洗浄水が当たらないようにリップ部１３ａを設け、シール面１４より下方に形成した第２のシール面２２に押し付けられて変形し、第２のシール部を形成するため、勢いのある洗浄ノズル７の噴射水がシール面１４付近に噴射されても直接シール部に当たることがなく、パッキング１５の変形を
受けにくくすることができ、シール性能の信頼性を向上させることができる。
【００４２】
また、リップ１３ａをばね性を有した構成にすることにより、蓋体を開閉するのに必要な操作力を低減できるため使い勝手を向上することができる。
【００４３】
また、パッキング１５の第２のリップ部１５ｂは、下部を保護部材１３のリップ部１３ａの外方に重ね合わせる構成としたことにより、第１の蓋体５を閉じたときのシール性能を強化することができる。
【００４４】
さらに、第１の蓋体５の下辺部分に保護部材支持部２３を垂下させたことにより、第１の蓋体５を閉じたとき、第２のシール部のシール性が低下することを防止できる。
【産業上の利用可能性】
【００４５】
以上のように、本発明の食器洗い機は、安価でかつ簡単な構造で、食器の出し入れ時に食器から汚れが落ちたとしてもシール面に付着することなくシール性能の信頼性を保持することができ、残菜フィルタ取り出し開口部を大きくとることが可能となり、残菜フィルタなどの取り出しおよび装着性を向上させることができるので、前面に食器を出し入れする開口部およびその開口部を開閉する蓋体を備えた食器洗い機等として有用である。
【符号の説明】
【００４６】
１  洗浄槽
２  食器（被洗浄物）
４  回転軸
５  第１の蓋体（蓋体）
６  第２の蓋体
７  洗浄ノズル（洗浄手段）
１２  ヒータ
１３  保護部材
１３ａ  リップ部
１４  シール面
１５  パッキング
１５ａ  リップ部（シール手段）
１５ｂ  第２のリップ部
１６  開口部
１７  残菜フィルタ
１８  略垂直部
２２  第２のシール面
２３  保護部材支持部
【図１】
2011045452.tif 000003
【図２】
2011045452.tif 000004
【図３】
2011045452.tif 000005
【図４】
2011045452.tif 000006
【図５】
2011045452.tif 000007
【図６】
2011045452.tif 000008